(57)【要約】【課題】インパクトツールなどの専用の工具やプライヤのような工具を用いることなく結線作業を行うことができ且つ電線の成端不良が起こりにくいモジュラジャックを提供する。【解決手段】ハウジング１におけるプラグ挿入口１１ａの中に配列されモジュラプラグの接触子に接触可能な複数本のコンタクト１３と、ハウジング１に結合された端子台２と、端子台２に着脱自在な保護キャップ３とを備える。端子台２は、モジュラプラグの挿入方向において隣り合う各一対の保護壁２３の間に圧接スリットが対応するように端子板が配置されている。保護キャップ３を端子台２から取り外した状態において複数の端子板から択一的に選択した１つの端子板の圧接スリットに１本の電線５を押し込んで電気的に接続させる簡易工具部３５が保護キャップ３に突設してある。【選択図】      図１
2004319207.tif 000002
【特許請求の範囲】
【請求項１】
モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに絶縁被覆電線である電線が接続される圧接スリットを有する複数の端子板が立設された端子台と、端子台に着脱自在であって端子台のうち少なくとも端子板を設けた部位を覆う保護キャップとを備え、保護キャップを端子台から取り外した状態において複数の端子板から択一的に選択した１つの端子板の圧接スリットに１本の電線を押し込んで電気的に接続させる簡易工具部が保護キャップに突設されてなることを特徴とするモジュラジャック。
【請求項２】
前記保護キャップは、前記端子台に取り付けた状態で前記各電線が配置されない位置に前記簡易工具部が突設されてなることを特徴とする請求項１記載のモジュラジャック。
【請求項３】
前記端子台は、前記モジュラプラグの挿入方向に直交する方向の両側部に前記端子板が立設され、前記簡易工具部は、前記両側部の間の部位内もしくは該部位外の延長上の位置であって前記電線が配置されない側の位置に収容されてなることを特徴とする請求項２記載のモジュラジャック。
【請求項４】
前記端子台は、前記モジュラプラグの挿入方向に直交する方向の両側部に前記端子板が立設され、前記簡易工具部は、前記端子台に取り付けた状態において前記端子台の外側に配置されてなることを特徴とする請求項２記載のモジュラジャック。
【請求項５】
前記簡易工具部は、前記保護キャップの表面が押圧されることにより前記圧接スリットへ前記電線を押し込むものであり、前記保護キャップは、前記表面を押圧する際に指の腹を乗せるくぼみが形成されてなることを特徴とする請求項１ないし請求項４のいずれかに記載のモジュラジャック。
【請求項６】
前記保護キャップは、各電線それぞれを圧接スリットに押し込み可能とする複数の成端部が前記各端子板それぞれに対応する位置に突設されてなることを特徴とする請求項１ないし請求項５のいずれかに記載のモジュラジャック。
【請求項７】
前記端子台に前記端子板が偶数対設けられるとともに、前記保護キャップに前記成端部が偶数対設けられ、前記保護キャップを前記成端部の対数が等しい２つの半割保護キャップに分割可能とする分離部が前記保護キャップに形成されてなることを特徴とする請求項６記載のモジュラジャック。
【発明の詳細な説明】
【０００１】
【発明の属する技術分野】
本発明は、圧接スリットを有する端子板を備え絶縁被覆電線である電線を端子板の圧接スリットに押し込んで接続するようにしたモジュラジャックに関するものである。
【０００２】
【従来の技術】
従来から、情報通信用のケーブルとして複数対のツイストペア線をシースに収納したツイストペアケーブルが広く用いられており、ツイストペアケーブルを接続する端子台を備えたモジュラジャックが提供されている。この種の端子台としては、圧接スリットを有する端子板を設けたものが知られている。端子板は一つの周縁に開放された圧接スリットを有する二股のフォーク状に形成されたものであり、ツイストペアケーブルを構成する各電線を圧接スリットに圧入すると、圧接スリットの周縁で電線の絶縁被覆が切られ、圧接スリットの周縁に心線が圧接されるようになっている。つまり、図１３および図１４に示すように、端子台２において端子板２４が突出した面から端子板２４を保護する多数の保護壁２３を立設し、隣接する保護壁２３間に圧接スリット２４ａを対応させるように端子板２４を配置しているのであって、図１５に示すように隣接する保護壁２３間にツイストペアケーブル４の電線５を導入して端子片２４の圧接スリット２４ａに電線５を圧入するようになっている。なお、圧接スリット２４ａの幅は電線５の芯線の直径よりも小さく設定されている。
【０００３】
ここで、圧接スリット２４ａに電線５を圧入するには比較的大きな力を要するので、一般的には図１６に示すインパクトツール７のような専用の工具を用いて電線５を圧接スリット２４ａに押し込んでいる。このようなインパクトツール７を用いることにより、電線５の押し込みと余線の切断とを同時に行うことができ、結線作業が容易になるという利点がある。
【０００４】
しかしながら、上述のインパクトツール７のような専用の工具は高価であるという問題があり、図１７に示すように一対の歯の間に溝を有する二股のフォーク状に形成された成端部８ａを備えた簡易工具８が提供されている。ここに、図１７に示した簡易工具８を用いて結線作業を行う場合には、成端部８ａによって電線５を圧接スリット２４ａに押し込んで、余線をニッパーなどの工具で切断すればよい。
【０００５】
図１７に示した簡易工具８は、合成樹脂製であってインパクトツール７に比べて安価であるという利点を有するが、多数個のモジュラジャックに対して使用するには耐久性が低いという問題があり、耐久性を高めるためには成端部８ａを金属部品により構成する必要があり、簡易工具の割には高価になってしまう。また、端子板２４と電線５との結線作業に図１６に示したインパクトツール７や図１７に示した簡易工具８などの専用の工具を利用する場合には、これらの専用の工具を常にもっている必要がある。
【０００６】
そこで、図１８に示すように４対８芯のツイストケーブル４の各電線５を隣接する保護壁２３間に配置できるようにした端子台２（つまり、この端子台２には８つの端子板２４が立設されている）に対して、それぞれ２対の端子板２４を覆うように取着される図１９および図２０に示す２個の保護キャップ３”に、圧接スリット２４ａへ電線５を押し込む簡易工具部３７を２対ずつ設けたもの（例えば、特許文献１参照）や、４対の端子板２４を覆うように取着される図２１および図２２に示す保護キャップ３’に、圧接スリット２４ａへ電線５を押し込む簡易工具部３７を４対設けたものが提供されている。
【０００７】
上述の保護キャップ３’，３”を用いることにより、複数本の電線５をまとめて端子板２４に接続することができ、しかも、専用の工具を持ち運ぶ必要がないという利点がある。また、保護キャップ３’，３”は、モジュラジャックごとに設けるものであるから、簡易工具部３７の耐久性が強く要求されず、合成樹脂成形品により構成でき安価にできるという利点がある。また、図１９および図２０に示した保護キャップ３”は、図２１および図２２に示した保護キャップ３’の略半分の大きさに形成されているので、簡易工具部３７により圧接スリット２４ａへ電線５を押し込む際に保護キャップ３”の表面に作用させる力を比較的小さくすることができるという利点がある。
【０００８】
【特許文献１】
特開平５−１３１２５号公報（第３頁、図１）
【０００９】
【発明が解決しようとする課題】
しかしながら、図１９および図２０に示した２個の保護キャップ３”を備えたモジュラジャックでは、２個の保護キャップ３”を端子台２から外した後に紛失しやすいという不具合があった。また、図１９および図２０に示した保護キャップ３”は、押圧する表面の面積が小さくて押圧しにくいという問題や、４本の電線５に対する加重がアンバランスとなって成端不良が起こりやすく接触不良の原因になるという問題があった。
【００１０】
一方、図２１および図２２に示した保護キャップ３’を備えたモジュラジャックでは、保護キャップ３’が１つでよいので、保護キャップ３’を紛失しにくい、保護キャップ３’を親指などで押えるのに十分なスペースがある、などの利点があるが、結線作業時にツイストペアケーブル４の全ての電線５を８個の端子板２４の圧接スリット２４ａに同時に押し込む必要があるので、図１９および図２０に示した保護キャップ３”を用いた場合に必要な力（約５ｋｇｆ）に比べて大きな力（１０ｋｇｆ以上）を要することになり、プライヤなどの特別な工具が必要になる。プライヤは一般的に持ち運ばれる工具ではなく、施工業者などの持ち運ぶ工具を少なくしたいというニーズに対応できない。また、８本の電線５に対する加重がアンバランスとなって成端不良が起こりやすく接触不良の原因になるという問題があった。
【００１１】
本発明は上記事由に鑑みて為されたものであり、その目的は、インパクトツールなどの専用の工具やプライヤのような工具を用いることなく結線作業を行うことができ且つ電線の成端不良が起こりにくいモジュラジャックを提供することにある。
【００１２】
【課題を解決するための手段】
請求項１の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに絶縁被覆電線である電線が接続される圧接スリットを有する複数の端子板が立設された端子台と、端子台に着脱自在であって端子台のうち少なくとも端子板を設けた部位を覆う保護キャップとを備え、保護キャップを端子台から取り外した状態において複数の端子板から択一的に選択した１つの端子板の圧接スリットに１本の電線を押し込んで電気的に接続させる簡易工具部が保護キャップに突設されてなることを特徴とする。この構成によれば、端子台から取り外した保護キャップを簡易工具部が１つの端子板に対応するように配置して簡易工具部により１本の電線を１つの圧接スリットに押し込むので、従来のように全ての端子板あるいは半数の端子板に電線を同時に押し込む結線作業を行う場合に比べて保護キャップに作用させる力を小さくすることができ、インパクトツールなどの専用の工具やプライヤのような工具を用いることなく結線作業を行うことができ且つ電線の成端不良が起こりにくくなる。また、保護キャップを端子台から取り外した状態ではインパクトツールなどの専用の工具を用いた結線作業も可能になるから、結線作業の方法を選択することが可能になる。
【００１３】
請求項２の発明は、請求項１の発明において、前記保護キャップは、前記端子台に取り付けた状態で前記各電線が配置されない位置に前記簡易工具部が突設されてなることを特徴とする。この構成によれば、結線作業の終了後に前記保護キャップを前記端子台に取り付けたときに前記簡易工具部が前記各電線に当たるのを防止することができる。
【００１４】
請求項３の発明は、請求項２の発明において、前記端子台は、前記モジュラプラグの挿入方向に直交する方向の両側部に前記端子板が立設され、前記簡易工具部は、前記両側部の間の部位内もしくは該部位外の延長上の位置であって前記電線が配置されない側の位置に収容されてなることを特徴とする。この構成によれば、前記簡易工具部が各端子板に当たるのを防止することができる。
【００１５】
請求項４の発明は、請求項２の発明において、前記端子台は、前記モジュラプラグの挿入方向に直交する方向の両側部に前記端子板が立設され、前記簡易工具部は、前記端子台に取り付けた状態において前記端子台の外側に配置されてなることを特徴とする。この構成によれば、前記簡易工具部が各端子板に当たるのを防止することができる。
【００１６】
請求項５の発明は、請求項１ないし請求項４の発明において、前記簡易工具部は、前記保護キャップの表面が押圧されることにより前記圧接スリットへ前記電線を押し込むものであり、前記保護キャップは、前記表面を押圧する際に指の腹を乗せるくぼみが形成されてなることを特徴とする。この構成によれば、結線作業時に前記保護キャップの表面を押圧する際に指への負担を軽減することができる。
【００１７】
請求項６の発明は、請求項１ないし請求項５の発明において、前記保護キャップは、各電線それぞれを圧接スリットに押し込み可能とする複数の成端部が前記各端子板それぞれに対応する位置に突設されてなることを特徴とする。この構成によれば、従来のように全ての端子板に電線を同時に押し込む結線作業を行う場合と同様に、プライヤのような汎用工具を用いて全ての端子板に電線を同時に押し込む結線作業を行うことも可能となるから、結線作業の方法の選択肢が多くなる。
【００１８】
請求項７の発明は、請求項６の発明の構成によれば、前記端子台に前記端子板が偶数対設けられるとともに、前記保護キャップに前記成端部が偶数対設けられ、前記保護キャップを前記成端部の対数が等しい２つの半割保護キャップに分割可能とする分離部が前記保護キャップに形成されてなることを特徴とする。この構成によれば、前記保護キャップを分割して一方の半割保護キャップの表面を押圧することにより、全ての端子板の半数の端子板の圧接スリットに電線を同時に押し込んだ後、他方の半割保護キャップの表面を押圧することにより、残りの半数の端子板の圧接スリットに電線を同時に押し込む結線作業を行うことも可能となるから、結線作業の方法の選択肢が１つ増える。
【００１９】
【発明の実施の形態】
以下、本実施形態のモジュラジャックについて図３および図４を参照しながら説明するが、従来例と同様の構成要素には同一の符号を付して説明する。
【００２０】
本実施形態のモジュラジャックは、モジュラプラグを挿入するプラグ挿入口１１ａが開口するハウジング１と、プラグ挿入口１１ａの中に配列されモジュラプラグの接触子に接触可能な複数本（本実施形態では８本）の線状のコンタクト１３（図１参照）と、各コンタクト１３にそれぞれ電気的に接続されるとともに絶縁被覆電線である電線が接続される複数枚（本実施形態では８枚）の端子板２４（図１３および図１４参照）が立設されハウジング１に結合された端子台２と、端子台２に着脱自在であって端子台２のうち少なくとも端子板２４を設けた部位を覆う保護キャップ３とを備えている。
【００２１】
ハウジング１は、絶縁性を有する合成樹脂により形成されており、直方体状の接続台１１を備え、接続台１１の一面に上記プラグ挿入口１１ａが開口する。以下では、接続台１１においてプラグ挿入口１１ａが開口する面を前面とし、図４における上下方向を用いて上下方向を規定する。接続台１１の後面下部からは端子台２を結合する基台１２が後方へ連続一体に突設されている。
【００２２】
端子台２は基台１２の上面側に配設されており、各端子板２４は端子台２の上面から突出している。ここに、８枚の端子板２４は端子台２の左右両側部において４個ずつ前後方向に沿って配置されている。また、各端子板２４は上縁に開放された圧接スリット２４ａ（図１３および図１４参照）を有する二股のフォーク状に形成されており、厚み方向が端子台２の左右方向に一致するように配置されている。なお、圧接スリット２４ａの幅は接続する電線５の芯線に圧接スリット２４ａの両側縁が圧接する程度に設定されている。したがって、絶縁被覆を有する電線５を上方から圧接スリット２４ａに圧入すると、電線５の絶縁被覆が圧接スリット２４ａの両側縁で切られ、圧接スリット２４ａの中で芯線が端子板２４に圧接するのである。
【００２３】
ところで、端子台２の上面の左右両側部には上面からの突出寸法が端子板２４よりも大きい複数の保護壁２３（図５参照）が前後方向に並んで突設されている。ここに、端子板２４は、前後に隣り合う保護壁２３の間に圧接スリット２４ａを対応させるように配置されている。なお、前後方向に隣り合う各一対の保護壁２３の互いの対向面には、端子板２４を保持する保持溝２３ｂ（図１参照）が上下方向に沿って形成されている。
【００２４】
また、前後に隣り合う各一対の保護壁２３の間の隙間の寸法は、電線５を挿入できるように各一対の保護壁２３間の隙間の寸法を設定してある。ただし、各一対の保護壁２３間の隙間の寸法は圧接スリット２４ａの幅寸法に比べて広く、しかも、各一対の保護壁２３の上端部では上部ほど隙間の寸法を広くするように傾斜した傾斜面が形成されており、ツイストペアケーブル４の電線５を各一対の保護壁２３の間の隙間に導入しやすくなっている。したがって、電線５を各一対の保護壁２３の間の隙間に上方から導入し、電線５を圧接スリット２４ａに対して上方から圧入することによって電線５と端子板２４との電気的接続が容易に行えるようになっている。なお、本実施形態における各一対の保護壁２３は、端子板２４を保護する保護部材として機能するだけではなく、端子板２４の圧接スリット２４ａに電線５を導くガイド部材として機能する。また、前後方向の真ん中に位置する各保護壁２３の前後方向の幅寸法は、他の保護壁２３の前後方向の幅寸法に比べて大きく設定してある。
【００２５】
また、端子台２の上面には、図５に示すように、左右方向の中央部にツイストペアケーブル４のシース４ａを位置決めする位置決め凹部２２が形成されており、前後方向における１番後の左右の保護壁２３における互いの対向面には、位置決め凹部２２との間にツイストペアケーブル４を保持する保持突起２６がそれぞれ突設されている。なお、保持突起２６間の寸法は４対８芯のツイストペアケーブル４のシース４ａの外径寸法よりもやや小さく設定されている。
【００２６】
したがって、４対８芯のツイストペアケーブル４のシース４ａを端子台２の上方から位置決め凹部２２に導入すればシース４ａの一部が保持突起２６により押圧されて凹み、位置決め凹部２２の内底面と一対の保持突起２６との間にツイストペアケーブル４を挟持して保持することができ、ツイストペアケーブル４の各電線５を端子板２４の圧接スリット２４ａに圧入すれば、電線５と端子板２４とが電気的に接続される。
【００２７】
また、端子台２の前後方向における真ん中の各保護壁２３の外側面には保護キャップ３を結合するための結合爪２７が突設されており、保護キャップ３が着脱可能に結合されている。なお、結合爪２７（図５参照）の上部には、上端縁に近づくほど外側面からの突出量を小さくするように傾斜した誘導面２７ａ（図５参照）が形成されている。
【００２８】
一方、保護キャップ３は、合成樹脂の成形品であって、図６ないし図９に示すように、端子台２の上面を覆う程度の寸法に形成されたキャップ本体３１の左右両側の下端縁から、複数の案内壁２３の外側面に跨って配置される側片３２が延設されている。ここにおいて、側片３２の前後方向の中央部には結合爪２７が凹凸係合する矩形状の結合孔３２ａが形成されている。また、各側片３２は、前後方向における結合孔３２ａの両側に下縁が開放された切込溝３２ｂが形成されるとともに、前後方向において切込溝３２ｂよりも結合孔３２ａから離れた部位に上縁が開放された切込溝３２ｃが形成されており、側片３２のうち前後方向において隣り合う切込溝３２ｂ，３２ｃ間の部位が撓みやすくなっている。要するに、側片３２は、前後方向において隣り合う一対の切込溝３２ｂ間の部位に結合孔３２ａが形成されており、切込溝３２ｂ間の部位が端子台２へ結合するための結合片３２ｄを構成している。
【００２９】
また、各側片３２において前後両側の切込溝３２ｃ間の部位の上端縁からは解除片３３が上方へ延設されており、キャップ本体３１の左右両側面には解除片３３に対応する部位に切欠部３１ａが形成されている。
【００３０】
しかして、保護キャップ３を端子台２に取り付ける際には、端子台２の上方から保護キャップ３を端子台２に近づけることによって、結合片３２ｄが誘導面２７ａに沿って撓み、最終的に結合片３２ｄに設けた結合孔３２ａに結合爪２７が凹凸係合することによって、保護キャップ３が端子台２に結合する。一方、保護キャップ３を端子台２から取り外す際には、解除片３３の上端部同士を近づける向きに操作して、結合爪２７と結合孔３２ａとの凹凸係合を解除することができるので、端子台２から保護キャップ３を容易に外すことができる。
【００３１】
ところで、上述の電線５は撓みやすく端子板２４の圧接スリット２４ａへ手で圧入するのが困難であるから、端子板２４の圧接スリット２４ａへの電線５の圧入作業を容易にするために、本実施形態では保護キャップ３を端子台２から取り外した状態において複数の端子板２４から択一的に選択した１つの端子板２４の圧接スリット２４ａに１本の電線５を押し込んで電気的に接続させる簡易工具部３５が保護キャップ３に突設してある。ここにおいて、簡易工具部３５は、下縁に開放された挿入溝３５ａを有する二股のフォーク状に形成されており、幅方向の両側縁には他の部位に比べて圧肉の補強部３５ｂが形成されている。なお、補強部３５ｂ間の寸法は、左右方向における保護壁２３の幅と略同じ寸法に設定され、補強部３５ｂの前後方向の寸法は前後方向において隣り合う一対の保護壁２３間の寸法よりもやや広く設定されている。
【００３２】
しかして、図１のように電線５を前後方向において隣り合う一対の保護壁２３間の隙間に導入した状態で、保護キャップ３の簡易工具部３５を一対の保護壁２３の間の隙間に端子板２４と交差する形で配置して（このとき、保護壁２３は左右一対の補強部３５ｂにより挟まれる）、図２のようにキャップ本体３１の上面（つまり、保護キャップ３の表面）に指（例えば、親指）６の腹を乗せて下方へ押圧すると、簡易工具部３５によって電線５が押圧され端子板２４の圧接スリット２４ａに電線５が圧入される。このような作業を端子板２４ごとに個別に行うことにより、すべての端子板２４に電線５を圧入することができる。
【００３３】
上述のように、保護キャップ３のキャップ本体３１の表面を押圧することによって各端子板２４の圧接スリット２４ａに電線を圧入する際には、簡易工具部３５に形成された挿入溝３５ａに各端子板２４が導入されるから、端子板２４の厚み方向の両側で電線５が簡易工具部３５によって押圧されることになり、端子板２４の厚み方向の両側で電線５を撓ませることなく圧接スリット２４ａに押し込むことができるのである。
【００３４】
要するに、本実施形態のモジュラジャックでは、保護キャップ３を端子台２から取り外した状態において複数の端子板２４から択一的に選択した１つの端子板２４の圧接スリット２４ａに１本の電線５を押し込んで電気的に接続させる簡易工具部３５が保護キャップ３に突設されているので、端子台２から取り外した保護キャップ３を簡易工具部２５が１つの端子板２４に対応するように配置して簡易工具部３５により１本の電線５を１つの圧接スリット２４ａに押し込むことができるから、従来のように全ての端子板２４あるいは半数の端子板２４に電線５を同時に押し込む結線作業を行う場合に比べて保護キャップ３に作用させる力を小さくすることができ、インパクトツール７（図１６参照）などの専用の工具やプライヤのような工具を用いることなく結線作業を行うことができ且つ電線５の成端不良が起こりにくくなる。ここにおいて、簡易工具部３５は、保護キャップ３の表面が押圧されることにより圧接スリット２４ａへ電線５を押し込むものであり、保護キャップ３は、表面を押圧する際に指６の腹を乗せるくぼみ３１ｂがキャップ本体３１の表面に形成されているので、結線作業時に保護キャップ３の表面を押圧する際に指６への負担を軽減することができる。
【００３５】
ところで、保護キャップ３は、保護キャップ３を端子台２に取り付けた状態で各電線５が配置されない位置に簡易工具部３５が突設されているので、結線作業の終了後に保護キャップ３を端子台２に取り付けたときに簡易工具部３５が各電線５に当たるのを防止することができる。すなわち、本実施形態における端子台２は、図１０に示すように、保護キャップ３との対向面（上面）においてモジュラプラグの挿入方向に直交する方向の両側部（つまり、左右両側部）に端子板２４が４枚ずつ立設されており、簡易工具部３５は、図１０中に破線で示したように上記両側部の間の部位内であって電線５が配置されない側の位置（前後方向においてツイストペアケーブル４のシース４を位置決めする位置決め凹部２２とは反対側の位置）に収容されるような位置に突設されているので、簡易工具部３５が各端子板２４および各電線５に当たるのを防止することができるという利点がある。なお、本実施形態では、簡易工具部３５を保護キャップ３の中心軸上に設けてあり保護キャップ３全体の形状が左右対称の形状となるので、保護キャップ３の表面を押す際に保護キャップ３を押しやすいという利点があり、しかも、端子台２に保護キャップ３を取り付けた状態における保護キャップ３下の空きスペースを有効活用できるという利点がある。なお、簡易工具部３５は、図１０中に二点鎖線で示すように上記両側部の間の部位内に収納されるような位置に突設するようにしてもよいし、図１０中に一点鎖線で示すように、上記両側部の間の部位外の延長上の位置（つまり、上記両側部の間の部位の延長線上の位置）であって電線５が配置されない側の位置に収容されるような位置に突設するようにしてもよく、いずれの場合も同様の利点がある。また、簡易工具部３５は、図１１中に二点鎖線で示したように、保護キャップ３を端子台２に取り付けた状態において端子台２の外側に配置されるような４箇所のいずれか１箇所に突設するようにしてもよく、簡易工具部３５が各端子板２４に当たるのを防止することができる。
【００３６】
しかも、保護キャップ３を端子台２から取り外した状態では、市販されているインパクトツール７によって端子板２４に電線５を接続することも可能になっている。要するに、本実施形態の構成を採用することによって、結線作業の方法を必要に応じて選択することができるのである。
【００３７】
また、保護キャップ３は、キャップ本体３１の上壁の裏面側に格子状の補強リブ３４（図９参照）が設けられており、キャップ本体３１により端子台２を覆ったときに隣り合う一対の保護壁２３間の隙間に導入され電線５を圧入スリット２４ａへ押し込み可能とする８つの成端部３７が補強リブ３４の下端縁から突設されている。すなわち、保護キャップ３は、キャップ本体３１の下面側において左右それぞれに４つの成端部３７が突設されており、各成端部２７は、各端子板２４それぞれに対応する位置に突設されているので、左右４個ずつの端子板２４（つまり、８個の端子板２４）の圧接スリット２４ａに電線５を同時に圧入することもでき、従来のように全ての端子板２４に電線５を同時に押し込む結線作業を行う場合と同様に、プライヤのような汎用工具を用いて全ての端子板２４に電線５を同時に押し込む結線作業を行うことも可能となるから、結線作業の方法の選択肢が多くなる。
【００３８】
なお、成端部３７には、端子板２４の上端部が挿入される挿入溝３７ａが形成されている。したがって、圧接スリット２４ａへ電線５が圧入されている状態において保護キャップ３が電線５を押さえていることによって、電線５が圧接スリット２４ａに沿って抜けるのを防止することができ、しかも、保護キャップ３が端子板２４を覆うことによって端子板２４が保護されることになる。
【００３９】
ところで、本実施形態のモジュラジャックでは、端子台２に端子板８が偶数対（４対）設けられるとともに、保護キャップ３に成端部３７が偶数対（４対）設けられているが、図１２に示すように、保護キャップ３を成端部３７の対数が等しい２つの半割保護キャップに分割可能とする分離部３９を保護キャップ３に形成しておけば、分離部３９に沿って保護キャップ３を分割して一方の半割保護キャップの表面を押圧することにより、全ての端子板２４の半数の端子板２４の圧接スリット２４ａに電線５を同時に押し込んだ後、他方の半割保護キャップの表面を押圧することにより、残りの半数の端子板２４の圧接スリット２４ａに電線５を同時に押し込む結線作業を行うことも可能となるから、結線作業の方法の選択肢が１つ増える。
【００４０】
【発明の効果】
請求項１の発明は、モジュラプラグを挿入するプラグ挿入口が開口するハウジングと、プラグ挿入口の中に配列されモジュラプラグの接触子に接触可能な複数本のコンタクトと、各コンタクトにそれぞれ電気的に接続されるとともに絶縁被覆電線である電線が接続される圧接スリットを有する複数の端子板が立設された端子台と、端子台に着脱自在であって端子台のうち少なくとも端子板を設けた部位を覆う保護キャップとを備え、保護キャップを端子台から取り外した状態において複数の端子板から択一的に選択した１つの端子板の圧接スリットに１本の電線を押し込んで電気的に接続させる簡易工具部が保護キャップに突設されてなるものであり、端子台から取り外した保護キャップを簡易工具部が１つの端子板に対応するように配置して簡易工具部により１本の電線を１つの圧接スリットに押し込むので、従来のように全ての端子板あるいは半数の端子板に電線を同時に押し込む結線作業を行う場合に比べて保護キャップに作用させる力を小さくすることができ、インパクトツールなどの専用の工具やプライヤのような工具を用いることなく結線作業を行うことができ且つ電線の成端不良が起こりにくくなるという効果がある。また、保護キャップを端子台から取り外した状態ではインパクトツールなどの専用の工具を用いた結線作業も可能になるから、結線作業の方法を選択することが可能になる。
【００４１】
請求項２の発明は、請求項１の発明において、前記保護キャップは、前記端子台に取り付けた状態で前記各電線が配置されない位置に前記簡易工具部が突設されているので、結線作業の終了後に前記保護キャップを前記端子台に取り付けたときに前記簡易工具部が前記各電線に当たるのを防止することができるという効果がある。
【００４２】
請求項３の発明は、請求項２の発明において、前記端子台は、前記モジュラプラグの挿入方向に直交する方向の両側部に前記端子板が立設され、前記簡易工具部は、前記両側部の間の部位内もしくは該部位外の延長上の位置であって前記電線が配置されない側の位置に収容されているので、前記簡易工具部が各端子板に当たるのを防止することができるという効果がある。
【００４３】
請求項４の発明は、請求項２の発明において、前記端子台は、前記モジュラプラグの挿入方向に直交する方向の両側部に前記端子板が立設され、前記簡易工具部は、前記端子台に取り付けた状態において前記端子台の外側に配置されているので、前記簡易工具部が各端子板に当たるのを防止することができるという効果がある。
【００４４】
請求項５の発明は、請求項１ないし請求項４の発明において、前記簡易工具部は、前記保護キャップの表面が押圧されることにより前記圧接スリットへ前記電線を押し込むものであり、前記保護キャップは、前記表面を押圧する際に指の腹を乗せるくぼみが形成されているので、結線作業時に前記保護キャップの表面を押圧する際に指への負担を軽減することができるという効果がある。
【００４５】
請求項６の発明は、請求項１ないし請求項５の発明において、前記保護キャップは、各電線それぞれを圧接スリットに押し込み可能とする複数の成端部が前記各端子板それぞれに対応する位置に突設されているので、従来のように全ての端子板に電線を同時に押し込む結線作業を行う場合と同様に、プライヤのような汎用工具を用いて全ての端子板に電線を同時に押し込む結線作業を行うことも可能となるから、結線作業の方法の選択肢が多くなるという効果がある。
【００４６】
請求項７の発明は、請求項６の発明の構成によれば、前記端子台に前記端子板が偶数対設けられるとともに、前記保護キャップに前記成端部が偶数対設けられ、前記保護キャップを前記成端部の対数が等しい２つの半割保護キャップに分割可能とする分離部が前記保護キャップに形成されているので、前記保護キャップを分割して一方の半割保護キャップの表面を押圧することにより、全ての端子板の半数の端子板の圧接スリットに電線を同時に押し込んだ後、他方の半割保護キャップの表面を押圧することにより、残りの半数の端子板の圧接スリットに電線を同時に押し込む結線作業を行うことも可能となるから、結線作業の方法の選択肢が１つ増えるという効果がある。
【図面の簡単な説明】
【図１】実施形態における結線作業の説明図である。
【図２】同上における結線作業の説明図である。
【図３】同上を示す斜視図である。
【図４】同上を示す斜視図である。
【図５】同上における結線作業の説明図である。
【図６】同上に用いる保護キャップの斜視図である。
【図７】同上に用いる保護キャップの斜視図である。
【図８】同上に用いる保護キャップの正面図である。
【図９】同上に用いる保護キャップの斜視図である。
【図１０】同上の要部の配置説明図である。
【図１１】同上の要部の配置説明図である。
【図１２】同上に用いる保護キャップの他の構成例を示す斜視図である。
【図１３】従来のモジュラジャックを示す要部斜視図である。
【図１４】同上を示す要部斜視図である。
【図１５】同上への結線作業の説明図である。
【図１６】同上への結線作業の説明図である。
【図１７】同上への結線作業に使用可能な簡易工具の斜視図である。
【図１８】同上への結線作業の説明図である。
【図１９】同上に用いる保護キャップを説明するための説明図である。
【図２０】同上に用いる保護キャップの斜視図である。
【図２１】同上に用いる保護キャップを説明するための説明図である。
【図２２】同上に用いる保護キャップの斜視図である。
【符号の説明】
１  ハウジング
２  端子台
３  保護キャップ
４  ツイストペアケーブル
５  電線
１１ａ  プラグ挿入口
１３  コンタクト
２３  保護壁
２３ｂ  保持溝
２４  端子板
２４ａ  圧接スリット
２７  結合爪
３１  キャップ本体
３２  側片
３２ａ  結合孔
３３  解除片
３４  補強リブ
３５  簡易工具部
３７  成端部
３９  分離部
【図１】
2004319207.tif 000003
【図２】
2004319207.tif 000004
【図３】
2004319207.tif 000005
【図４】
2004319207.tif 000006
【図５】
2004319207.tif 000007
【図６】
2004319207.tif 000008
【図７】
2004319207.tif 000009
【図８】
2004319207.tif 000010
【図９】
2004319207.tif 000011
【図１０】
2004319207.tif 000012
【図１１】
2004319207.tif 000013
【図１２】
2004319207.tif 000014
【図１３】
2004319207.tif 000015
【図１４】
2004319207.tif 000016
【図１５】
2004319207.tif 000017
【図１６】
2004319207.tif 000018
【図１７】
2004319207.tif 000019
【図１８】
2004319207.tif 000020
【図１９】
2004319207.tif 000021
【図２０】
2004319207.tif 000022
【図２１】
2004319207.tif 000023
【図２２】
2004319207.tif 000024